(57)【要約】【課題】互いに異なる複数の無線通信方式により、同一周波数帯で同時に通信が行われる場合の通信干渉を軽減する無線通信装置等を提供すること。【解決手段】ＤＣＬ通信制御回路１２は、無線信号の通信時に、ＤＣＬ用垂直アンテナＤＡＮＴ１とＤＣＬ用水平アンテナＤＡＮＴ２とのうち電波状況の優れた方を固定使用ＤＣＬ用アンテナとして選択して受信動作を行うと共に、選択したアンテナをＣＰＵ１６へ報知する。ＣＰＵ１６は、固定使用ＤＣＬ用アンテナの偏波方向と異なる偏波方向を有するように、ＷＬＡＮ用垂直アンテナＡＮＴ１とＷＬＡＮ用水平アンテナＡＮＴ２の何れか一方を固定使用ＷＬＡＮアンテナとして選択する。そして、固定使用ＷＬＡＮアンテナを用いて通信動作を行うように、ＷＬＡＮ通信制御回路１１に指令する。ＷＬＡＮ通信制御回路１１は、ＣＰＵ１６からの指示により、固定使用ＷＬＡＮアンテナを使用して通信動作を行う。【選択図】図５
2011035605.tif 000002
【特許請求の範囲】
【請求項１】
水平面に対して垂直方向に強い輻射特性を有する第１偏波方向第１アンテナと前記垂直方向より傾いた方向に強い輻射特性を有する第２偏波方向第１アンテナとを備え、所定周波数帯域内から使用周波数帯域を選択して無線信号の送受信を行う第１通信部と、
水平面に対して垂直方向に強い輻射特性を有する第１偏波方向第２アンテナと前記垂直方向より傾いた方向に強い輻射特性を有する第２偏波方向第２アンテナとを備え、前記所定周波数帯域内で所定の周期で変わるチャンネルを使用して無線信号の送受信を行う第２通信部と、
前記第１通信部および前記第２通信部を制御する制御部と
を備える無線通信装置において、
前記第２通信部は、
前記無線信号の通信時に、前記第１偏波方向第２アンテナと前記第２偏波方向第２アンテナとのうち電波状況の優れた方を固定使用第２アンテナとして選択し、前記固定使用第２アンテナを用いて受信動作を行うアンテナ選択手段と、
前記固定使用第２アンテナを選択したことを前記制御部へ報知する報知手段と
を備え、
前記制御部は、
前記固定使用第２アンテナとして選択された偏波方向と異なる偏波方向を有するように前記第１偏波方向第１アンテナと前記第２偏波方向第１アンテナの何れか一方を固定使用第１アンテナとして選択し、通信動作を行うように前記第１通信部に報知するアンテナ制御手段
を備え、
前記第１通信部は、前記アンテナ制御手段からの指示により前記固定使用第１アンテナを使用して通信動作を行う
ことを特徴とする無線通信装置。
【請求項２】
前記第１通信部は、
前記第１通信部で前記無線信号の通信を行う際に、第１通信開始信号を前記制御部へ送信する第１通信開始信号送信手段を備え、
前記第２通信部は、
前記第２通信部で前記無線信号の通信を行う際に、第２通信開始信号を前記制御部へ送信する第２通信開始信号送信手段
を備え、
前記制御部は、
前記第１通信開始信号と前記第２通信開始信号とに基づき、前記第１通信部での通信動作と前記第２通信部での通信動作との何れが先に行われたかを判断する開始順序判断手段
を備え、
前記アンテナ制御手段は、
前記開始順序判断手段において前記第２通信部での通信動作が先に行われた旨の判断結果が得られる場合に、前記固定使用第１アンテナを選択して通信動作を行うように前記第１通信部に報知し、
前記開始順序判断手段において前記第１通信部での通信動作が先に行われた旨の判断結果が得られる場合に、通信動作を停止するように前記第１通信部に報知する
ことを特徴とする無線通信装置。
【請求項３】
前記第１通信部は、
通信動作を終了する際に第１通信終了信号を前記制御部へ送信する第１通信終了信号送信手段を備え、
前記第２通信部は、
通信動作を終了する際に第２通信終了信号を前記制御部へ送信する第２通信終了信号送信手段を備え、
前記制御部が備える前記アンテナ制御手段は、
前記第１通信終了信号と前記第２通信終了信号とに基づき、前記第１通信部での通信動作および前記第２通信部での通信動作が終了したことを検出することに応じて、前記第１偏波方向第１アンテナと前記第２偏波方向第１アンテナとのうち電波状況の優れた方を用いて通信動作を行うように前記第１通信部を制御する
ことを特徴とする請求項１または請求項２に記載の無線通信装置。
【請求項４】
前記第２通信部は、
通信動作を終了する際に第２通信終了信号を前記制御部へ送信する第２通信終了信号送信手段を備え、
前記制御部が備える前記アンテナ制御手段は、
前記第１通信部の通信動作を停止するように前記第１通信部に報知している場合には、前記第２通信終了信号を受信することに応じて前記第１通信部の通信動作を再開するように前記第１通信部に報知する
ことを特徴とする請求項１ないし請求項３の何れかに記載の無線通信装置。
【請求項５】
前記第１通信部では、前記無線信号の再送が可能でありリアルタイム性が要求されない通信方式が用いられ、
前記第２通信部では、音声データを取り扱うリアルタイム性が要求される通信方式が用いられる
ことを特徴とする請求項１ないし請求項４の何れかに記載の無線通信装置。
【請求項６】
前記第１通信部で行われる通信動作は、前記無線信号の送信動作であり、
前記第２通信部で行われる通信動作は、前記無線信号の受信動作である
ことを特徴とする請求項１ないし請求項５の何れかに記載の無線通信装置。
【請求項７】
前記第１偏波方向第１アンテナおよび前記第１偏波方向第２アンテナは水平偏波用アンテナまたは垂直偏波用アンテナの何れか一方であり、
前記第２偏波方向第１アンテナおよび前記第２偏波方向第２アンテナは水平偏波用アンテナまたは垂直偏波用アンテナの他方である
ことを特徴とする請求項１ないし請求項６の何れかに記載の無線通信装置。
【請求項８】
水平面に対して垂直方向に強い輻射特性を有する第１偏波方向第１アンテナと前記垂直方向より傾いた方向に強い輻射特性を有する第２偏波方向第１アンテナとを備え、所定周波数帯域内から使用周波数帯域を選択して無線信号の送受信を行う第１通信部と、
水平面に対して垂直方向に強い輻射特性を有する第１偏波方向第２アンテナと前記垂直方向より傾いた方向に強い輻射特性を有する第２偏波方向第２アンテナとを備え、前記所定周波数帯域内で所定の周期で変わるチャンネルを使用して無線信号の送受信を行う第２通信部と、
前記第１通信部および前記第２通信部を制御する制御部と
を備える無線通信装置の制御プログラムであって、
前記無線信号の通信時に、前記第１偏波方向第２アンテナと前記第２偏波方向第２アンテナとのうち電波状況の優れた方を固定使用第２アンテナとして選択し、前記固定使用第２アンテナを用いて受信動作を行うアンテナ選択手段と、
前記固定使用第２アンテナを選択したことを前記制御部へ報知する報知手段と、
前記固定使用第２アンテナとして選択された偏波方向と異なる偏波方向を有するように前記第１偏波方向第１アンテナと前記第２偏波方向第１アンテナの何れか一方を固定使用第１アンテナとして選択し、通信動作を行うように前記第１通信部に報知するアンテナ制御手段と
を備え、
前記第１通信部は、前記アンテナ制御手段からの指示により前記固定使用第１アンテナを使用して通信動作を行う
ことを特徴とする無線通信装置の制御プログラム。
【発明の詳細な説明】
【技術分野】
【０００１】
本発明は、同じ周波数帯域を使用する複数の通信手段を備える無線通信装置および無線通信装置の制御プログラムに関する。
【背景技術】
【０００２】
同じ周波数帯域を使用する複数の無線通信方式を同じ場所で同時に利用しつつ、干渉を抑える手法が提案されている。例えば、無線通信方式ごとに複数のアンテナを備え、通話前にアンテナごとにビットエラーレート（ＢＥＲ）や電界強度などを測定し、干渉が少ないアンテナを最適なアンテナとして選択し、選択したアンテナを固定使用する通信方法がある。
【先行技術文献】
【特許文献】
【０００３】
【特許文献１】特開２０００−５９１２８号公報
【特許文献２】特開平９−１９１３０５号公報
【発明の概要】
【発明が解決しようとする課題】
【０００４】
しかし、干渉が断続的に発生する場合など、複数のアンテナ間で最適なアンテナが切り替わる場合がある。すると、最適なアンテナの切り替わりに対応できず、最適な受信状態が得られない結果、受信感度劣化が発生する場合がある。特に、音声データを無線通信する場合には、音声通話が途切れることがないように、リアルタイム性が必要とされる。しかし、同じ周波数帯域を無線通信方式の異なる無線信号で同時に利用する場合、電波干渉により最適な受信状態が得られない結果、音声通話の通話品質を高品質に維持できない場合がある。
本明細書では、このような不便性を解消することができる技術を提供する。
【課題を解決するための手段】
【０００５】
本目的を達成するために本発明の無線通信装置は、水平面に対して垂直方向に強い輻射特性を有する第１偏波方向第１アンテナと垂直方向より傾いた方向に強い輻射特性を有する第２偏波方向第１アンテナとを備え、所定周波数帯域内から使用周波数帯域を選択して無線信号の送受信を行う第１通信部と、水平面に対して垂直方向に強い輻射特性を有する第１偏波方向第２アンテナと垂直方向より傾いた方向に強い輻射特性を有する第２偏波方向第２アンテナとを備え、所定周波数帯域内で所定の周期で変わるチャンネルを使用して無線信号の送受信を行う第２通信部と、第１通信部および第２通信部を制御する制御部とを備える無線通信装置において、第２通信部は、無線信号の通信時に、第１偏波方向第２アンテナと第２偏波方向第２アンテナとのうち電波状況の優れた方を固定使用第２アンテナとして選択し、固定使用第２アンテナを用いて受信動作を行うアンテナ選択手段と、固定使用第２アンテナを選択したことを制御部へ報知する報知手段とを備え、制御部は、固定使用第２アンテナとして選択された偏波方向と異なる偏波方向を有するように第１偏波方向第１アンテナと第２偏波方向第１アンテナの何れか一方を固定使用第１アンテナとして選択し、通信動作を行うように第１通信部に報知するアンテナ制御手段を備え、第１通信部は、アンテナ制御手段からの指示により固定使用第１アンテナを使用して通信動作を行うことを特徴とする。
【発明の効果】
【０００６】
第１通信部の通信動作と第２通信部の通信動作とが同時期に行われる場合には、第１通信部の通信で用いられる無線信号が、第２通信部の通信で用いられる無線信号と干渉する場合がある。またこのとき、第１通信部で用いられるアンテナと第２通信部で用いられるアンテナの偏波方向が同一の場合（例えば、第１通信部で第１偏波方向第１アンテナが用いられ、第２通信部で第１偏波方向第２アンテナが用いられる場合など）には、干渉の強度が高くなる。
【０００７】
そこで、請求項１に記載の無線通信装置では、第２通信部において、第１偏波方向第２アンテナと第２偏波方向第２アンテナとのうち電波状況の優れた方を固定使用第２アンテナとして選択し、選択したアンテナの情報を制御部へ報知する。そして制御部は、固定使用第２アンテナと異なる偏波方向を有するアンテナを用いて通信動作を行うように第１通信部を制御するか、通信動作を停止するように第１通信部を制御する。これにより、第１通信部の通信動作と第２通信部の通信動作とが同時に行われる場合に、第２通信部の通信動作時の電波干渉を低減することができる。よって例えば、第２通信部においてリアルタイム性が必要な通信（デジタルコードレス電話など）が行われる場合にも、電波干渉を抑えることで通信品質を高品質に維持することが可能となる。
【０００８】
請求項２に記載の無線通信装置では、第２通信部での通信動作が先に行われた旨の判断結果が得られる場合には、固定使用第１アンテナを選択して通信動作を行うように第１通信部に報知する。これにより、固定使用第２アンテナと異なる偏波方向を有するアンテナを用いて送信動作を行うように第１通信部を制御できる。また、第１通信部での通信動作が先に行われた旨の判断結果が得られる場合には、通信動作を停止するように第１通信部に報知する。これにより、電波干渉の原因となる第１通信部の通信を停止できるため、第２通信部において第１偏波方向第２アンテナと第２偏波方向第２アンテナとの何れを使用するかを自由に選択することが可能となる。よって、第２通信部での通信動作が先に行われた場合と、第１通信部での通信動作が先に行われた場合との何れにおいても、第２通信部の通信動作時の電波干渉を低減することが可能となる。
【０００９】
請求項３に記載の無線通信装置では、第１通信部の通信動作と第２通信部の通信動作とが同時に行われる期間が終了すると、第１通信部で用いられるアンテナを電波状況の優劣によって決定する、ダイバーシチ制御が行われる。これにより、第２通信部での電波干渉を低減するための制御を、第１通信部の通信動作と第２通信部の通信動作とが同時に行われる期間に限定して行うことができる。よって、電波干渉の影響の軽減と、第１通信部の通信品質の維持とを両立することができる。
【００１０】
請求項４に記載の無線通信装置では、第１通信部の通信動作と第２通信部の通信動作とが同時に行われる期間が終了すると、第１通信部の通信動作を再開させる。これにより、第１通信部での通信動作の停止期間を、第１通信部の通信動作と第２通信部の通信動作とが同時に行われる期間に限定することができる。よって、電波干渉の影響の軽減と、第１通信部の通信品質の維持とを両立することができる。
【００１１】
請求項５に記載の無線通信装置では、音声データを取り扱うリアルタイム性が要求される通信方式が用いられる第２通信部での電波干渉を低減することができるため、音声通話の通信品質を高品質に維持することが可能となる。
【００１２】
第１通信部の送信動作と第２通信部の受信動作とが同時期に行われる場合には、第１通信部から送信された無線信号が、第２通信部において干渉信号として受信される場合がある。よって、請求項６に記載の無線通信装置では、固定使用第２アンテナと異なる偏波方向を有するアンテナを用いて送信動作を行うように第１通信部を制御するか、送信動作を停止するように第１通信部を制御することで、第２通信部の通信動作時の電波干渉を低減することができる。
【００１３】
請求項７に記載の無線通信装置では、第２通信部において、水平偏波用アンテナと垂直偏波用アンテナのうち電波状況の優れた方が固定使用第２アンテナとして選択される。そして、制御部は、固定使用第２アンテナと異なる偏波方向を有するアンテナを用いて送信動作を行うように第１通信部を制御する。これにより、第２通信部の受信動作時の電波干渉を低減することが可能となる。
【図面の簡単な説明】
【００１４】
【図１】通信システム１の一例を示す外観図である。
【図２】ＤＣＬ通信制御回路１２の動作を説明するフロー図である。
【図３】ＷＬＡＮ通信制御回路１１の動作を説明するフロー図である。
【図４】ＣＰＵ１６でのアンテナ固定制御の動作を説明するフロー図である。
【図５】ＷＬＡＮ通信制御回路１１、ＤＣＬ通信制御回路１２、ＣＰＵ１６のアンテナ固定制御の相関関係を表すシーケンス図である。
【図６】ＣＰＵ１６での送信停止制御の動作を説明するフロー図である。
【図７】ＷＬＡＮ通信制御回路１１、ＤＣＬ通信制御回路１２、ＣＰＵ１６の送信停止制御の相関関係を表すシーケンス図である。
【発明を実施するための形態】
【００１５】
図１に、本願に係る第１実施形態として例示される通信システム１のブロック図を示す。通信システム１は、回線制御装置（以下「ＢＯＸ」と称す）３１と、アクセスポイント（以下「ＡＰ」と称す）５１と、多機能周辺装置（以下「ＭＦＰ」と称す）１０と、音声通話を行う子機２とを備える。
【００１６】
ＢＯＸ３１は、電話回線網１００を使用した通信の制御を行う通信装置である。また、ＢＯＸ３１は、無線ＬＡＮ（以下、ＷＬＡＮ（Ｗｉｒｅｌｅｓｓ  Ｌｏｃａｌ  Ａｒｅａ  Ｎｅｔｗｏｒｋ）と称する）機能と、デジタルコードレス電話（以下、ＤＣＬ（Ｄｉｇｉｔａｌ  ＣｏｒｄＬｅｓｓ）と称する）機能を備える。尚、ＷＬＡＮ方式の例としては、例えばＩＥＥＥ８０２．１１ａ／ｂ／ｇの規格で定められる通信方式が挙げられる。ＡＰ５１は、ＷＬＡＮ方式の無線通信２００によりＢＯＸ３１との間でデータ通信が可能に構成された、既知の中継装置である。ＭＦＰ１０は、プリンタ機能、スキャナ機能、コピー機能、ファクシミリ機能などを備える。ＭＦＰ１０は、ＡＰ５１を介して、ＢＯＸ３１とＭＦＰ１０との間でデータ通信が可能に構成されている。子機２は、ＢＯＸ３１とＤＣＬによる無線通信２０１を行うことにより、音声通話を行う装置である。
【００１７】
ここで、ＷＬＡＮ及びＤＣＬによって使用される周波数帯域及び周波数チャンネルについて説明する。ＷＬＡＮ、ＤＣＬの各通信方式は、いずれも２．４ＧＨｚから２．５ＧＨｚまでの周波数帯域（ＩＳＭ帯）を使用する。そして、各通信方式において、ＩＳＭ帯を複数に分割したチャンネルが設定されている。以下では、各通信方式におけるチャンネルを区別するために、ＷＬＡＮで使用されるチャンネルをＷＬＡＮチャンネル、ＤＣＬで使用されるチャンネルをＤＣＬチャンネルとする。
【００１８】
ＷＬＡＮでは、ＩＳＭ帯が１３個のＷＬＡＮチャンネルＣＨ１〜ＣＨ１３に分けられている。ＷＬＡＮは、１３個のＷＬＡＮチャンネルのうち１つのＷＬＡＮチャンネルを継続して使用しながら、その１つのＷＬＡＮチャンネルに対して送信データを直接スペクトラム拡散する直接拡散方式により、無線通信を行う。
【００１９】
一方、ＤＣＬでは、ＩＳＭ帯が８９個のＤＣＬチャンネルｄｃｈ１〜ｄｃｈ８９に分けられている。ＤＣＬは、ホッピング周期と呼ばれる所定の周期（例えば、１／１００秒）毎に、８９個あるＤＣＬチャンネルのうち、予め選択された例えば４５個のＤＣＬチャンネルの間で、使用するＤＣＬチャンネルを変更（ホッピング）する周波数ホッピング方式により、無線通信を行う。
【００２０】
上記のように、ＷＬＡＮおよびＤＣＬが混在して使用される環境では、同一の周波数帯域が使用されるので、ＤＣＬのデータ受信時にＷＬＡＮのデータ送信が重なると、電波干渉が発生する。そして、ＤＣＬのデータ通信では、音声通話が途切れることがないように、リアルタイム性が必要とされるため、電波干渉の影響を抑える必要がある。
【００２１】
ＢＯＸ３１は、ＷＬＡＮ通信制御回路１１、ＤＣＬ通信制御回路１２、音声処理ＬＳＩ１４、ＮＣＵ１５、ＣＰＵ１６、ＲＯＭ３３、ＲＡＭ３４、フラッシュメモリ３５、操作キー１８、および表示パネル１９を備える。これらの構成要素は、入出力ポート２０を介して互いに通信可能に接続されている。
【００２２】
ＤＣＬ通信制御回路１２について説明する。ＤＣＬ通信制御回路１２は、ベースバンド処理部ＢＰ２、送信アンプＴＡ２、受信アンプＲＡ２、バンドパスフィルタＢＦ２、スイッチＳＷ２、ＤＣＬ用垂直アンテナＤＡＮＴ１およびＤＣＬ用水平アンテナＤＡＮＴ２を備える。ベースバンド処理部ＢＰ２は、ＤＣＬ通信制御回路１２全体を制御する回路である。ベースバンド処理部ＢＰ２は入出力ポート２０に接続される。送信アンプＴＡ２には、ベースバンド処理部ＢＰ２から出力される送信信号ＴＤ２およびアンプ活性化信号ＴＥＮ２が入力される。送信アンプＴＡ２からは、増幅された増幅送信信号ＴＤＡ２が出力される。受信アンプＲＡ２には、ベースバンド処理部ＢＰ２から出力されるアンプ活性化信号ＲＥＮ２およびゲイン調整信号ＲＧＡ２と、スイッチＳＷ２から出力される受信信号ＲＤ２とが入力される。受信アンプＲＡ２からは、増幅された増幅受信信号ＲＤＡ２が出力される。バンドパスフィルタＢＦ２は、入力される増幅受信信号ＲＤＡ２から増幅ＤＣＬ受信信号ＤＳＡを取り出して、ベースバンド処理部ＢＰ２へ出力する。
【００２３】
スイッチＳＷ２には、ＤＣＬ用垂直アンテナＤＡＮＴ１およびＤＣＬ用水平アンテナＤＡＮＴ２が切り替え可能に接続される。ＤＣＬ用垂直アンテナＤＡＮＴ１は、水平面に対して垂直方向に電磁波の強い輻射特性を有する、垂直偏波のアンテナである。また、ＤＣＬ用水平アンテナＤＡＮＴ２は、水平方向に電磁波の強い輻射特性を有する、水平偏波のアンテナである。スイッチＳＷ２は、ベースバンド処理部ＢＰ２から入力されるアンテナ選択信号ＡＳＷ２に応じて、ＤＣＬ用垂直アンテナＤＡＮＴ１とＤＣＬ用水平アンテナＤＡＮＴ２の一方を選択する。そして、ＤＣＬ用垂直アンテナＤＡＮＴ１とＤＣＬ用水平アンテナＤＡＮＴ２のうち選択されたアンテナと、子機２のアンテナとの間で、無線通信２０１が行われる。無線通信２０１では、音声信号がデジタル化して通信される。無線通信２０１の通信方式としては、周波数ホッピング方式が使用される。
【００２４】
ＷＬＡＮ通信制御回路１１について説明する。ＷＬＡＮ通信制御回路１１は、ベースバンド処理部ＢＰ１、送信アンプＴＡ１、受信アンプＲＡ１、バンドパスフィルタＢＦ１、スイッチＳＷ１、ＷＬＡＮ用垂直アンテナＡＮＴ１およびＷＬＡＮ用水平アンテナＡＮＴ２を備える。ベースバンド処理部ＢＰ１は、ＷＬＡＮ通信制御回路１１全体を制御する回路である。送信アンプＴＡ１には、ベースバンド処理部ＢＰ１から出力される送信信号ＴＤ１およびアンプ活性化信号ＴＥＮ１が入力される。送信アンプＴＡ１からは、増幅された増幅送信信号ＴＤＡ１が出力される。受信アンプＲＡ１には、ベースバンド処理部ＢＰ１から出力されるアンプ活性化信号ＲＥＮ１と、スイッチＳＷ２から出力される受信信号ＲＤ１とが入力される。受信アンプＲＡ１からは、増幅された増幅受信信号ＲＤＡ１が出力される。バンドパスフィルタＢＦ１は、入力される増幅受信信号ＲＤＡ１から増幅ＷＬＡＮ受信信号ＷＳＲを取り出して、ベースバンド処理部ＢＰ１へ出力する。
【００２５】
スイッチＳＷ１には、ＷＬＡＮ用垂直アンテナＡＮＴ１およびＷＬＡＮ用水平アンテナＡＮＴ２が切り替え可能に接続される。ＷＬＡＮ用垂直アンテナＡＮＴ１は、水平面に対して垂直方向に電磁波の強い輻射特性を有する、垂直偏波のアンテナである。また、ＷＬＡＮ用水平アンテナＡＮＴ２は、水平方向に電磁波の強い輻射特性を有する、水平偏波のアンテナである。スイッチＳＷ１は、ベースバンド処理部ＢＰ１から入力されるアンテナ選択信号ＡＳＷ１に応じて、ＷＬＡＮ用垂直アンテナＡＮＴ１およびＷＬＡＮ用水平アンテナＡＮＴ２の一方を選択する。ＷＬＡＮ用垂直アンテナＡＮＴ１およびＷＬＡＮ用水平アンテナＡＮＴ２のうち選択されたアンテナと、ＡＰ５１との間で、無線通信２００が行われる。無線通信２００の通信方式としては、直接拡散方式もしくはＯＦＤＭ（直交周波数分割多重）方式が使用される。なお、ＷＬＡＮ通信制御回路１１のその他の構成は、前述したＤＣＬ通信制御回路１２の構成と同様であるため、ここでは詳細な説明は省略する。
【００２６】
水平偏波および垂直偏波について説明する。偏波とは、電磁波が空間を伝播する際に電界の振動する方向である。振動方向が一定の波を直線偏波という。また、直線偏波のうち地面に対して垂直な偏波を垂直偏波といい、水平な偏波を水平偏波という。そして、データを送信する側のアンテナの偏波面と、データ受信する側のアンテナの偏波面とを一致させると、受信感度が高くなる。よって、アンテナ間で良好なデータ通信を行いたい場合には、両アンテナの偏波面を一致させることが好ましい。一方、データを送信する側のアンテナの偏波面と、データ受信する側のアンテナの偏波面とを直交させると、受信感度が低くなる。よって、アンテナ間での電波干渉を低減させたい場合には、両アンテナの偏波面を直交させることが好ましい。
【００２７】
例えば、ＷＬＡＮ通信制御回路１１から送信された送信信号が、ＤＣＬ通信制御回路１２において干渉信号として受信される場合には、ＷＬＡＮ通信制御回路１１で用いられるアンテナとＤＣＬ通信制御回路１２で用いられるアンテナの偏波方向を直交させればよい。これにより、ＷＬＡＮ通信制御回路１１とＤＣＬ通信制御回路１２との間の電波干渉を低減させることができる。
【００２８】
ＣＰＵ１６は、ＷＬＡＮ通信制御回路１１、ＤＣＬ通信制御回路１２、ＲＯＭ３３、ＲＡＭ３４、フラッシュメモリ３５、音声処理ＬＳＩ１４、ＮＣＵ１５、操作キー１８、および表示パネル１９に関する各種の制御を行う。
【００２９】
ＲＯＭ３３は書換不能な不揮発性のメモリであり、ＢＯＸ３１で実行される制御プログラムなどが格納されている。フラッシュメモリ３５は、書換可能な不揮発性のメモリである。ＲＡＭ３４は、書換可能な揮発性のメモリであり、後述する固定使用ＤＣＬ用アンテナ情報ＤＡＩなどの各種データが格納される。
【００３０】
ＮＣＵ１５は、電話回線網１００との音声信号の送受信を制御する。ＮＣＵ１５は、音声処理ＬＳＩ１４によりデータ処理される。操作キー１８は、ＢＯＸ３１の各機能を実行するためのキーである。また、表示パネル１９は、ＢＯＸ３１の各種機能情報を表示する。
【００３１】
第１実施形態に係るＢＯＸ３１の動作を説明する。第１実施形態では、ＤＣＬ通話が先に行われＷＬＡＮ通信が後に行われることで、ＤＣＬ通話とＷＬＡＮ通信とが同時期に実行される場合に行われる、アンテナ固定制御動作を説明する。また、第１実施形態について、図２ないし図５を用いて説明する。図２は、ＤＣＬ通信制御回路１２の動作を説明するフロー図である。図３は、ＷＬＡＮ通信制御回路１１の動作を説明するフロー図である。図４は、ＣＰＵ１６でのアンテナ固定制御の動作を説明するフロー図である。図５は、ＷＬＡＮ通信制御回路１１、ＤＣＬ通信制御回路１２、ＣＰＵ１６のアンテナ固定制御の相関関係を表すシーケンス図である。
【００３２】
ＤＣＬ通信制御回路１２でのＤＣＬ受信開始動作およびＤＣＬ受信終了動作を、Ｓ１ないしＳ１１（図２、図５）を用いて説明する。
【００３３】
Ｓ１において、ＤＣＬ通信制御回路１２のベースバンド処理部ＢＰ２は、ＣＰＵ１６からデータ受信開始の旨の指令を受け付けることに応じて、受信開始準備を行う。ベースバンド処理部ＢＰ２は、受信開始準備時に、ＤＣＬ用垂直アンテナＤＡＮＴ１とＤＣＬ用水平アンテナＤＡＮＴ２とのうち電波状況の優れた方を固定使用ＤＣＬ用アンテナとして選択する、ダイバーシチ制御を行う。第１実施形態の例では、例として、ＤＣＬ用垂直アンテナＤＡＮＴ１の電波状況が良く、ＤＣＬ用垂直アンテナＤＡＮＴ１が固定使用ＤＣＬ用アンテナとして選択される場合を説明する。
【００３４】
Ｓ２において、ベースバンド処理部ＢＰ２は、受信動作を開始する旨を報知するＤＣＬ受信開始信号ＤＲＳを、ＣＰＵ１６へ出力する。
【００３５】
Ｓ３において、ベースバンド処理部ＢＰ２は、固定使用ＤＣＬ用アンテナとしてＤＣＬ用垂直アンテナＤＡＮＴ１とＤＣＬ用水平アンテナＤＡＮＴ２のどちらを選択したかを報知するための固定使用ＤＣＬ用アンテナ情報ＤＡＩを、ＣＰＵ１６へ出力する。
【００３６】
Ｓ５において、ベースバンド処理部ＢＰ２は、固定使用ＤＣＬ用アンテナを用いて、データ受信を開始する。第１実施形態の例では、ＤＣＬ用垂直アンテナＤＡＮＴ１を用いて、子機２との間で無線通信２０１が行われ、データ受信が開始される。そして、データ受信中の状態とされる（Ｓ７）。データ受信が終了すると（Ｓ９）、ベースバンド処理部ＢＰ２は、Ｓ１１において、ＤＣＬ受信終了信号ＤＲＥをＣＰＵ１６へ出力する。
【００３７】
次に、ＷＬＡＮ通信制御回路１１でのＷＬＡＮ送信開始動作を、Ｓ８１およびＳ８２（図３、図５）を用いて説明する。
【００３８】
Ｓ８１において、ＷＬＡＮ通信制御回路１１のベースバンド処理部ＢＰ１は、ＣＰＵ１６からデータ送信開始の旨の指令を受け付けることに応じて、送信開始準備を行う。Ｓ８２において、ベースバンド処理部ＢＰ１は、無線信号の送信を開始する際に、ＷＬＡＮ送信開始信号ＷＴＳをＣＰＵ１６へ出力する。
【００３９】
ＣＰＵ１６での制御判定動作を、Ｓ４１ないしＳ５３（図４、図５）を用いて説明する。
【００４０】
Ｓ４１において、ＣＰＵ１６は、ＤＣＬ通信制御回路１２からＤＣＬ受信開始信号ＤＲＳを受信したか否かを判断する。受信していないと判断される場合（Ｓ４１：ＮＯ）には、Ｓ４１へ戻り、監視を続行する。一方、受信したと判断される場合（Ｓ４１：ＹＥＳ）には、Ｓ４３へ進む。Ｓ４３において、ＣＰＵ１６は、ＤＣＬ通信制御回路１２から固定使用ＤＣＬ用アンテナ情報ＤＡＩを受信し、ＲＡＭ３４へ記憶する。第１実施形態の例では、固定使用ＤＣＬ用アンテナとしてＤＣＬ用垂直アンテナＤＡＮＴ１を選択した旨の固定使用ＤＣＬ用アンテナ情報ＤＡＩが受信され、ＲＡＭ３４へ記憶される。
【００４１】
Ｓ４７（図４）において、ＣＰＵ１６は、ＷＬＡＮ通信制御回路１１からＷＬＡＮ送信開始信号ＷＴＳを受信したか否かを判断する。受信していないと判断される場合（Ｓ４７：ＮＯ）には、制御を終了する。一方、受信したと判断される場合（Ｓ４７：ＹＥＳ）には、Ｓ５１へ進む。
【００４２】
Ｓ５１において、ＣＰＵ１６は、制御判定を行う。制御判定では、ＤＣＬ受信開始信号ＤＲＳが先にＣＰＵ１６で受信され、ＷＬＡＮ送信開始信号ＷＴＳが後でＣＰＵ１６で受信されているため、ＤＣＬ通信制御回路１２での受信動作が先に開始されたと判定される。よって、ＤＣＬ通信制御回路１２における電波干渉を抑えるために、アンテナ固定制御を行う必要がある旨が判定される。
【００４３】
Ｓ５３において、ＣＰＵ１６は、固定使用ＤＣＬ用アンテナとして選択された偏波方向と異なる偏波方向を有するように、ＷＬＡＮ用垂直アンテナＡＮＴ１とＷＬＡＮ用水平アンテナＡＮＴ２の何れか一方を、固定使用ＷＬＡＮ用アンテナとして選択する。当該選択は、ＲＡＭ３４に記憶された固定使用ＤＣＬ用アンテナ情報ＤＡＩに基づいて行われる。固定使用ＤＣＬ用アンテナ情報ＤＡＩの偏波方向が垂直方向である場合には、固定使用ＷＬＡＮ用アンテナの偏波方向は水平方向とされる。一方、固定使用ＤＣＬ用アンテナ情報ＤＡＩの偏波方向が水平方向である場合には、固定使用ＷＬＡＮ用アンテナの偏波方向は垂直方向とされる。第１実施形態の説明例では、固定使用ＤＣＬ用アンテナ情報ＤＡＩの偏波方向が垂直方向である場合を説明しているため、固定使用ＷＬＡＮ用アンテナとしてＷＬＡＮ用水平アンテナＡＮＴ２が選択される。そしてＣＰＵ１６は、固定使用ＷＬＡＮ用アンテナを用いてＷＬＡＮ送信動作を開始する旨のＷＬＡＮアンテナ制御開始信号ＷＡＣを、ＷＬＡＮ通信制御回路１１へ送信する。
【００４４】
ＷＬＡＮ通信制御回路１１でのアンテナ制御動作を、Ｓ８３ないしＳ９５（図３、図５）を用いて説明する。
【００４５】
Ｓ８３において、ＷＬＡＮ通信制御回路１１のベースバンド処理部ＢＰ１は、ＣＰＵ１６からＷＬＡＮアンテナ制御開始信号ＷＡＣを受信する。
【００４６】
Ｓ８４において、ベースバンド処理部ＢＰ１は、アンテナ制御動作を開始する。アンテナ制御動作では、ＷＬＡＮアンテナ制御開始信号ＷＡＣに基づいて、ＷＬＡＮ用垂直アンテナＡＮＴ１とＷＬＡＮ用水平アンテナＡＮＴ２の何れかが、固定使用ＷＬＡＮ用アンテナとして選択される。第１実施形態の説明例では、ＷＬＡＮ用水平アンテナＡＮＴ２が、固定使用ＷＬＡＮ用アンテナとして選択される。
【００４７】
Ｓ８５において、ベースバンド処理部ＢＰ１は、固定使用ＷＬＡＮ用アンテナを用いて、データ送信を開始する。そして、データ送信中の状態とされる（Ｓ８６）。
【００４８】
Ｓ８７（図３）において、ベースバンド処理部ＢＰ１は、ＣＰＵ１６からＷＬＡＮ送信停止信号ＷＴＰを受信したか否かを判断する。受信したと判断される場合（Ｓ８７：ＹＥＳ）には、Ｓ８８へ進み、データ送信停止処理を行う。一方、受信していないと判断される場合（Ｓ８７：ＮＯ）には、Ｓ９３へ進み、データ送信を継続する。ここで、ＷＬＡＮ送信停止信号ＷＴＰは、第２実施形態で後述するように、ＷＬＡＮ通信が先に行われＤＣＬ通話が後に行われる場合に用いられる信号である。そして、第１実施形態の説明例では、ＤＣＬ通話が先に行われ、ＷＬＡＮ通信が後に行われる場合を説明しているため、ＷＬＡＮ送信停止信号ＷＴＰを受信せず（Ｓ８７：ＮＯ）、Ｓ９３へ進む。そして、データ送信が終了すると（Ｓ９３）、ベースバンド処理部ＢＰ１は、Ｓ９５において、ＷＬＡＮ送信終了信号ＷＴＥをＣＰＵ１６へ出力する。
【００４９】
ＣＰＵ１６での制御終了動作を、Ｓ５５ないしＳ５９（図４、図５）を用いて説明する。
【００５０】
Ｓ５５において、ＣＰＵ１６は、ＤＣＬ通信制御回路１２からＤＣＬ受信終了信号ＤＲＥを受信したか否かを判断する。受信していないと判断される場合（Ｓ５５：ＮＯ）には、Ｓ５５へ戻り、監視を続行する。一方、受信したと判断される場合（Ｓ５５：ＹＥＳ）には、Ｓ５７へ進む。
【００５１】
Ｓ５７において、ＣＰＵ１６は、ＷＬＡＮ通信制御回路１１からＷＬＡＮ送信終了信号ＷＴＥを受信したか否かを判断する。受信していないと判断される場合（Ｓ５７：ＮＯ）には、Ｓ５７へ戻り、監視を続行する。一方、受信したと判断される場合（Ｓ５７：ＹＥＳ）には、ＤＣＬの無線信号の受信動作と、ＷＬＡＮの送信動作との両方が終了した場合であると判断される。よって、Ｓ５９へ進む。Ｓ５９において、ＣＰＵ１６は、ＷＬＡＮアンテナ制御終了信号ＷＡＥをＷＬＡＮ通信制御回路１１へ送信する。
【００５２】
ＷＬＡＮ通信制御回路１１での送信終了動作を、Ｓ９７およびＳ９９（図３、図５）を用いて説明する。
【００５３】
Ｓ９７において、ＷＬＡＮ通信制御回路１１のベースバンド処理部ＢＰ１は、ＣＰＵ１６からＷＬＡＮアンテナ制御終了信号ＷＡＥを受信する。
【００５４】
Ｓ９９において、ベースバンド処理部ＢＰ１は、アンテナ制御動作を終了する。具体的には、固定使用ＷＬＡＮ用アンテナを用いる制御が終了される。そして、ＷＬＡＮ用垂直アンテナＡＮＴ１とＷＬＡＮ用水平アンテナＡＮＴ２とのうち電波状況の優れた方を用いて送信動作を行うようにＷＬＡＮ通信制御回路１１を制御する、ダイバーシチ制御に戻される。以上より、図５に示すアンテナ固定制御のシーケンスが終了する。
【００５５】
第１実施形態で行われるアンテナ固定制御の効果について説明する。ＷＬＡＮ通信制御回路１１の通信動作とＤＣＬ通信制御回路１２の通信動作とが同時期に行われる場合には、ＷＬＡＮ通信制御回路１１の通信で用いられる無線信号が、ＤＣＬ通信制御回路１２の通信で用いられる無線信号と干渉する場合がある。またこのとき、ＷＬＡＮ通信制御回路１１で用いられるアンテナとＤＣＬ通信制御回路１２で用いられるアンテナの偏波方向が同一の場合（例えば、第１通信部でＤＣＬ用垂直アンテナＤＡＮＴ１が用いられ、ＤＣＬ通信制御回路１２でＷＬＡＮ用垂直アンテナＡＮＴ１が用いられる場合など）には、電波干渉の度合いが強くなる。
【００５６】
そこで、第１実施形態に記載のＢＯＸ３１では、ＤＣＬ通信制御回路１２において、ＤＣＬ用垂直アンテナＤＡＮＴ１とＤＣＬ用水平アンテナＤＡＮＴ２とのうち電波状況の優れた方を固定使用ＤＣＬ用アンテナとして選択し、選択したアンテナの情報を固定使用ＤＣＬ用アンテナ情報ＤＡＩとしてＣＰＵ１６へ報知する。そしてＣＰＵ１６は、固定使用ＤＣＬ用アンテナと異なる偏波方向を有するアンテナを用いて送信動作を行うようにＷＬＡＮ通信制御回路１１を制御する。これにより、ＷＬＡＮ通信制御回路１１の通信動作とＤＣＬ通信制御回路１２の通信動作とが同時に行われる場合の電波干渉を低減することができる。よって、ＤＣＬ通信制御回路１２において、音声データを取り扱うリアルタイム性が必要なＤＣＬ通話が行われる場合にも、ＤＣＬ通信制御回路１２における電波干渉を抑えることができるため、通信品質を高品質に維持することが可能となる。
【００５７】
また、第１実施形態に記載のＢＯＸ３１では、ＷＬＡＮ通信制御回路１１の通信動作とＤＣＬ通信制御回路１２の通信動作とが同時に行われる期間が終了すると、ＷＬＡＮ通信制御回路１１で用いられるアンテナを決定する制御を、アンテナ固定制御からダイバーシチ制御に切り替える。これにより、ＤＣＬ通信制御回路１２での電波干渉を低減するための制御を、ＷＬＡＮ通信制御回路１１の通信動作とＤＣＬ通信制御回路１２の通信動作とが同時に行われる期間に限定して行うことができる。よって、ＤＣＬ通信制御回路１２での電波干渉の影響の軽減と、ＷＬＡＮ通信制御回路１１の通信品質の維持とを両立することができる。
【００５８】
第２実施形態に係るＢＯＸ３１の動作を説明する。第２実施形態では、ＷＬＡＮ通信が先に行われＤＣＬ通話が後に行われることで、ＤＣＬ通話とＷＬＡＮ通信とが同時期に実行される場合に行われる、送信停止制御を説明する。第２実施形態について、図２、図３、図６および図７を用いて説明する。図６は、ＣＰＵ１６での送信停止制御の動作を説明するフロー図である。図７は、ＷＬＡＮ通信制御回路１１、ＤＣＬ通信制御回路１２、ＣＰＵ１６の送信停止制御の相関関係を表すシーケンス図である。なお、ＢＯＸ３１の構成は第１実施形態と同様であるため、ここでは詳細な説明は省略する。
【００５９】
ＷＬＡＮ通信制御回路１１でのＷＬＡＮ受信開始動作を、Ｓ８１およびＳ８２（図３、図７）を用いて説明する。
【００６０】
Ｓ８１において、ＷＬＡＮ通信制御回路１１のベースバンド処理部ＢＰ１は、ＣＰＵ１６からデータ送信開始の旨の指令を受け付けることに応じて、送信開始準備を行う。Ｓ８２において、ベースバンド処理部ＢＰ１は、無線信号の送信を開始する際に、ＷＬＡＮ送信開始信号ＷＴＳをＣＰＵ１６へ出力する。
【００６１】
ＣＰＵ１６での制御判定動作を、Ｓ１９ないしＳ２３（図６、図７）を用いて説明する。
【００６２】
Ｓ１９において、ＣＰＵ１６は、ＷＬＡＮ通信制御回路１１からＷＬＡＮ送信開始信号ＷＴＳを受信したか否かを判断する。受信していないと判断される場合（Ｓ１９：ＮＯ）には、Ｓ１９へ戻り、監視を続行する。一方、受信したと判断される場合（Ｓ１９：ＹＥＳ）にはＳ２１へ進む。
【００６３】
Ｓ２１において、ＣＰＵ１６は、制御判定を行う。制御判定では、ＤＣＬ受信開始信号ＤＲＳが未受信である状態でＷＬＡＮ送信開始信号ＷＴＳを受信した事に応じて、ＷＬＡＮ通信制御回路１１での送信動作が先に開始された旨が判定される。よってＳ２３へ進み、ＣＰＵ１６は、ダイバーシチ制御を行う旨のＷＬＡＮアンテナダイバーシチ制御信号ＷＡＤを、ＷＬＡＮ通信制御回路１１へ送信する。
【００６４】
ＷＬＡＮ通信制御回路１１でのアンテナ制御動作を、Ｓ８３ないしＳ８６（図７）を用いて説明する。
【００６５】
Ｓ８３において、ＷＬＡＮ通信制御回路１１のベースバンド処理部ＢＰ１は、ＣＰＵ１６からＷＬＡＮアンテナダイバーシチ制御信号ＷＡＤを受信する。ベースバンド処理部ＢＰ１は、アンテナ制御動作を開始する。アンテナ制御動作では、ＷＬＡＮアンテナダイバーシチ制御信号ＷＡＤに基づいて、ダイバーシチ制御により、ＷＬＡＮ用垂直アンテナＡＮＴ１とＷＬＡＮ用水平アンテナＡＮＴ２のうち電波状況のよいアンテナが選択される。第２実施形態の説明例では、ＷＬＡＮ用垂直アンテナＡＮＴ１が選択される場合を説明する。
【００６６】
Ｓ８５において、ベースバンド処理部ＢＰ１は、選択されたアンテナを用いて、データ送信を開始する。そして、データ送信中の状態とされる（Ｓ８６）。
【００６７】
ＤＣＬ通信制御回路１２でのＤＣＬ受信開始動作およびＤＣＬ受信終了動作を、Ｓ１ないしＳ１１（図２、図７）を用いて説明する。
【００６８】
Ｓ１において、ＤＣＬ通信制御回路１２のベースバンド処理部ＢＰ２は、ＣＰＵ１６からデータ受信開始の旨の指令を受け付けることに応じて、受信開始準備を行う。ベースバンド処理部ＢＰ２は、無線信号の受信開始時に、ＤＣＬ用垂直アンテナＤＡＮＴ１とＤＣＬ用水平アンテナＤＡＮＴ２とのうち電波状況の優れた方を固定使用ＤＣＬ用アンテナとして選択する、ダイバーシチ制御を行う。第２実施形態の例では、例として、ＤＣＬ用垂直アンテナＤＡＮＴ１が固定使用ＤＣＬ用アンテナとして選択される場合を説明する。
【００６９】
Ｓ２において、ベースバンド処理部ＢＰ２は、受信動作を開始する旨を報知するＤＣＬ受信開始信号ＤＲＳを、ＣＰＵ１６へ出力する。Ｓ３において、ベースバンド処理部ＢＰ２は、固定使用ＤＣＬ用アンテナ情報ＤＡＩを、ＣＰＵ１６へ出力する。Ｓ５において、ベースバンド処理部ＢＰ２は、固定使用ＤＣＬ用アンテナを用いて、データ受信を開始する。第２実施形態の例では、ＤＣＬ用垂直アンテナＤＡＮＴ１を用いて、子機２との間で無線通信２０１が行われ、データ受信が開始される。そして、データ受信中の状態とされる（Ｓ７）。データ受信が終了すると（Ｓ９）、ベースバンド処理部ＢＰ２は、Ｓ１１において、ＤＣＬ受信終了信号ＤＲＥをＣＰＵ１６へ出力する。
【００７０】
ＣＰＵ１６での送信停止制御動作を、Ｓ２５ないしＳ３１（図６、図７）を用いて説明する。
【００７１】
Ｓ２５において、ＣＰＵ１６は、ＷＬＡＮ通信制御回路１１からＤＣＬ受信開始信号ＤＲＳを受信したか否かを判断する。受信していないと判断される場合（Ｓ２５：ＮＯ）には、制御を終了する。一方、受信したと判断される場合（Ｓ２５：ＹＥＳ）には、Ｓ２７へ進む。第２実施形態の説明例では、ＤＣＬ受信開始信号ＤＲＳを受信する場合を説明しているため、Ｓ２７へ進む。Ｓ２７において、ＣＰＵ１６は、ＤＣＬ通信制御回路１２から固定使用ＤＣＬ用アンテナ情報ＤＡＩを受信し、ＲＡＭ３４へ記憶する。
【００７２】
Ｓ２９において、ＣＰＵ１６は、制御判定を行う。制御判定では、ＷＬＡＮ送信開始信号ＷＴＳを受信した後に、ＤＣＬ受信開始信号ＤＲＳを受信したことに応じて、ＷＬＡＮ通信制御回路１１での送信動作とＤＣＬ通信制御回路１２での受信動作が同時期に実行される場合であると判定される。そして、ＤＣＬ通信制御回路１２における電波干渉を抑えるために、送信停止制御を行う必要がある旨が判定される。よってＳ３１へ進み、ＣＰＵ１６は、ＷＬＡＮ送信停止信号ＷＴＰをＷＬＡＮ通信制御回路１１へ送信する。
【００７３】
ＣＰＵ１６から送信されたＷＬＡＮ送信停止信号ＷＴＰがＷＬＡＮ通信制御回路１１で受信されることに応じて、ベースバンド処理部ＢＰ１は、データ送信を停止する（Ｓ８８）。
【００７４】
ＣＰＵ１６での制御終了動作を、Ｓ３３およびＳ３５（図６、図７）を用いて説明する。
【００７５】
Ｓ３３において、ＣＰＵ１６は、ＤＣＬ通信制御回路１２からＤＣＬ受信終了信号ＤＲＥを受信したか否かを判断する。受信していないと判断される場合（Ｓ３３：ＮＯ）には、Ｓ３３へ戻り、監視を続行する。一方、受信したと判断される場合（Ｓ３３：ＹＥＳ）には、Ｓ３５へ進む。Ｓ３５において、ＣＰＵ１６は、ＷＬＡＮ送信許可信号ＷＴＡをＷＬＡＮ通信制御回路１１へ送信する。
【００７６】
ＷＬＡＮ通信制御回路１１での送信再開動作を、Ｓ８９ないしＳ９５（図３、図７）を用いて説明する。
【００７７】
Ｓ８９において、ベースバンド処理部ＢＰ１は、ＣＰＵ１６からＷＬＡＮ送信許可信号ＷＴＡを受信したか否かを判断する。受信していないと判断される場合（Ｓ８９：ＮＯ）には、Ｓ８９へ戻り、監視を続行する。一方、受信したと判断される場合（Ｓ８９：ＹＥＳ）には、Ｓ９０へ進む。
【００７８】
Ｓ９０において、ベースバンド処理部ＢＰ１は、ＷＬＡＮ送信許可信号ＷＴＡの受信に応じて、データ送信を再開する。そして、データ送信中の状態とされる（Ｓ９１）。そして、データ送信が終了すると（Ｓ９３）、ベースバンド処理部ＢＰ１は、Ｓ９５において、ＷＬＡＮ送信終了信号ＷＴＥをＣＰＵ１６へ出力する。
【００７９】
ＣＰＵ１６での制御終了動作を、Ｓ３７およびＳ３９（図６、図７）を用いて説明する。
【００８０】
Ｓ３７において、ＣＰＵ１６は、ＷＬＡＮ通信制御回路１１からＷＬＡＮ送信終了信号ＷＴＥを受信したか否かを判断する。受信していないと判断される場合（Ｓ３７：ＮＯ）には、Ｓ３７へ戻り、監視を続行する。一方、受信したと判断される場合（Ｓ３７：ＹＥＳ）には、ＤＣＬの無線信号の受信動作と、ＷＬＡＮの送信動作との両方が終了した場合であると判断される。よって、Ｓ３９へ進む。Ｓ３９において、ＣＰＵ１６は、ＷＬＡＮアンテナ制御終了信号ＷＡＥをＷＬＡＮ通信制御回路１１へ送信する。
【００８１】
なお、ＷＬＡＮ通信制御回路１１での送信終了動作（Ｓ９７、Ｓ９９）については、第１実施形態と同様であるため、ここでは詳細な説明は省略する。以上により、図７に示す送信停止制御のシーケンスが終了する。
【００８２】
また、送信停止制御によりＷＬＡＮ通信に与える影響について説明する。ＷＬＡＮ通信制御回路１１での送受信動作と、ＤＣＬ通信制御回路１２での送受信動作は、数ｍｓｅｃ〜十数ｍｓｅｃ程度の周期で繰り返し行われる。よって、図７に示す送信停止制御のシーケンスも、数ｍｓｅｃ〜十数ｍｓｅｃ程度の周期で繰り返し行われる。すると、ＷＬＡＮ通信制御回路１１において送信停止（Ｓ８８）されている期間は、数ｍｓｅｃという短い期間となる。また、ＷＬＡＮ通信は、データ再送が可能な通信方式であるため、リアルタイム性が要求されない。以上より、送信停止制御によりＷＬＡＮ通信に与える影響は小さいことが分かる。
【００８３】
第２実施形態で行われる送信停止制御の効果について説明する。第２実施形態に記載のＢＯＸ３１では、ＷＬＡＮ通信が先に行われＤＣＬ通話が後に行われる場合に、ＷＬＡＮ通信のアンテナおよびＤＣＬ通話のアンテナをダイバーシチ制御で選択する。そして、ＷＬＡＮ通信とＤＣＬ通話との干渉が問題となる期間（ＷＬＡＮ通信制御回路１１の送信動作とＤＣＬ通信制御回路１２の受信動作とが同時に行われる期間）においては、ＷＬＡＮ通信を停止する。これにより、ＷＬＡＮ通信のアンテナの偏波面と、ＤＣＬ通話のアンテナの偏波面とが一致する場合においても、干渉が問題となる期間はＷＬＡＮ通信制御回路１１の送信動作を停止することで、ＤＣＬ通信制御回路１２の受信動作時の電波干渉を防止することができる。よって、ＤＣＬ通話の通信品質を高品質に維持することが可能となる。
【００８４】
また、第２実施形態に記載のＢＯＸ３１では、ＷＬＡＮ通信制御回路１１の送信動作とＤＣＬ通信制御回路１２の受信動作とが同時に行われる期間が終了すると、ＷＬＡＮ通信制御回路１１の送信動作を再開させる。これにより、ＷＬＡＮ通信制御回路１１での送信動作の停止期間を、ＷＬＡＮ通信制御回路１１の送信動作とＤＣＬ通信制御回路１２の受信動作とが同時に行われる期間に限定することができる。よって、ＤＣＬ通信制御回路１２での電波干渉の影響の軽減と、ＷＬＡＮ通信制御回路１１の通信品質の維持とを両立することができる。
【００８５】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【００８６】
本実施形態では、直線偏波（水平偏波および垂直偏波）を用いる場合を説明したが、この形態に限られない。電波の振動方向が回転しながら伝わっていく円偏波や楕円偏波を用いても、実施形態に記載の処理は同様に行うことができる。
【００８７】
なお、ＷＬＡＮ用垂直アンテナＡＮＴ１は第１偏波方向第１アンテナの一例、ＷＬＡＮ用水平アンテナＡＮＴ２は第２偏波方向第１アンテナの一例、ＤＣＬ用垂直アンテナＤＡＮＴ１は第１偏波方向第２アンテナの一例、ＤＣＬ用水平アンテナＤＡＮＴ２は第２偏波方向第２アンテナの一例、ＩＳＭ帯は所定周波数帯域内の一例、ＷＬＡＮチャンネルは使用周波数帯域の一例、ＷＬＡＮ通信制御回路１１は第１通信部の一例、ＤＣＬ通信制御回路１２は第２通信部の一例、ＣＰＵ１６は制御部の一例、ＢＯＸ３１は無線通信装置の一例、ＷＬＡＮ送信開始信号ＷＴＳは第１通信開始信号の一例、ＤＣＬ受信開始信号ＤＲＳは第２通信開始信号の一例、ＷＬＡＮ送信終了信号ＷＴＥは第１通信終了信号の一例、ＤＣＬ受信終了信号ＤＲＥは第２通信終了信号の一例、である
【００８８】
また、Ｓ１を実行する制御部はアンテナ選択手段の一例である。Ｓ３を実行する制御部は報知手段の一例である。Ｓ３５、Ｓ５３、Ｓ８４を実行する制御部はアンテナ制御手段の一例である。Ｓ８２を実行する制御部は第１通信開始信号送信手段の一例である。Ｓ２を実行する制御部は第２通信開始信号送信手段の一例である。Ｓ２９、Ｓ５１を実行する制御部は開始順序判断手段の一例である。Ｓ９５を実行する制御部は第１通信終了信号送信手段の一例である。Ｓ１１を実行する制御部は第２通信終了信号送信手段の一例である。
【符号の説明】
【００８９】
１  通信システム
２  子機
１０  ＭＦＰ
１１  ＷＬＡＮ通信制御回路
１２  ＤＣＬ通信制御回路
１６  ＣＰＵ
３１  ＢＯＸ
５１  ＡＰ
ＡＮＴ１  ＷＬＡＮ用垂直アンテナ
ＡＮＴ２  ＷＬＡＮ用水平アンテナ
ＤＡＮＴ１  ＤＣＬ用垂直アンテナ
ＤＡＮＴ２  ＤＣＬ用水平アンテナ
【図１】
2011035605.tif 000003
【図２】
2011035605.tif 000004
【図３】
2011035605.tif 000005
【図４】
2011035605.tif 000006
【図５】
2011035605.tif 000007
【図６】
2011035605.tif 000008
【図７】
2011035605.tif 000009